【手続補正書】
【提出日】平成23年6月13日(2011.6.13)
【手続補正１】
【補正対象書類名】特許請求の範囲
【補正対象項目名】全文
【補正方法】変更
【補正の内容】
【特許請求の範囲】
【請求項１】
端末をサービス網に接続するホームサーバと、前記端末を前記ホームサーバに接続するアクセスゲートウェイ装置と、前記アクセスゲートウェイ装置を制御するポリシーサーバとを備える通信システムであって、
前記アクセスゲートウェイ装置は、少なくとも第１のアクセスゲートウェイ装置を含み、
第１の端末と前記第１のアクセスゲートウェイ装置との間に第１の通信路が設定され、前記第１のアクセスゲートウェイ装置と前記ホームサーバとの間に第２の通信路が設定され、また、第２の端末と前記第１のアクセスゲートウェイ装置との間に第３の通信路が設定され、前記第１のアクセスゲートウェイ装置と前記ホームサーバとの間に第４の通信路が設定され、
前記第１の端末は、前記第１の通信路、前記第２の通信路、前記第４の通信路及び前記第３の通信路を経由して前記第２の端末と通信し、
前記第１のアクセスゲートウェイ装置は、前記各端末の通信路に関する情報を含む通信路管理情報を管理し、
前記ポリシーサーバは、前記第１の端末の通信路、及び前記第２の端末の通信路を関連付けるためのリンク作成要求を前記第１のアクセスゲートウェイ装置に送信し、
前記第１のアクセスゲートウェイ装置は、
前記リンク作成要求を受信した場合、前記第１の通信路と前記第３の通信路と接続する第５の通信路を設定し、
前記設定された第５の通信路に関する情報を前記通信路管理情報に記録し、
前記通信路管理情報に基づいて、前記第１の端末から前記第１の通信路を経由して送信されたデータを、前記第５の通信路、及び前記第３の通信路を経由して前記第２の端末に送信することを特徴とする通信システム。
【請求項２】
前記アクセスゲートウェイ装置は、さらに、第２のアクセスゲートウェイ装置を含み、
前記第２のアクセスゲートウェイ装置は、前記各端末の通信路に関する情報を含む通信路管理情報を管理し、
前記第１の端末が、前記第１のアクセスゲートウェイ装置から前記第２のアクセスゲートウェイ装置へ接続を切り替える場合、前記第１のアクセスゲートウェイ装置は、前記第１の通信路の情報及び前記第５の通信路に関する情報を含む接続切替情報を前記第２のアクセスゲートウェイ装置に送信し、
前記第２のアクセスゲートウェイ装置は、
受信した前記切替情報に基づいて、前記第１の端末と前記第２のアクセスゲートウェイ装置との間に第６の通信路を設定し、
前記第６の通信路を設定したことを含む設定完了通知を前記第１のアクセスゲートウェイ装置に送信し、
前記第１のアクセスゲートウェイ装置は、
受信した前記設定完了通知と、前記通信路管理情報とに基づいて、前記第１のアクセスゲートウェイ装置と前記第２のアクセスゲートウェイ装置との間に第７の通信路を設定し、
前記第７の通信路と前記第３の通信路とを接続し、
前記設定された第７の通信路に関する情報を前記通信路管理情報に記録し、
前記第７の通信路に関する情報を含むリンク設定完了通知を前記第２のアクセスゲートウェイ装置に送信し、
前記第２のアクセスゲートウェイ装置は、
前記受信したリンク設定完了通知に基づいて、前記第７の通信路と前記第６の通信路を接続し、
前記設定された第７の通信路に関する情報を前記通信路管理情報に記録し、
前記通信路管理情報に基づいて、前記第１の端末から前記第６の通信路を経由して送信されたデータを、前記第７の通信路を経由して前記第１のアクセスゲートウェイ装置に送信し、
前記第１のアクセスゲートウェイ装置は、前記第２のアクセスゲートウェイ装置から第７の通信路を経由して送信されたデータを前記第３の通信路を経由して前記第２の端末に送信することを特徴とする請求項１に記載の通信システム。
【請求項３】
前記ポリシーサーバは、前記第１の端末が、前記第６の通信路、前記第７の通信路、及び前記第３の通信路を経由して前記第２の端末と通信している場合、これらの通信路の優先度を変更せず、
前記優先度に基づいて、前記第１の端末と前記第２の端末との通信の品質が制御されることを特徴とする請求項２に記載の通信システム。
【請求項４】
前記ポリシーサーバは、
前記第１の端末が、前記第１の通信路、前記第２の通信路、前記第４の通信路、及び前記第３の通信路を経由して前記第２の端末と通信している場合、これらの通信路の優先度を上げ、
前記第１の端末が、前記第１の通信路、前記第５の通信路、及び前記第３の通信路を経由して前記第２の端末と通信している場合、これらの通信路の優先度を下げ、
前記優先度に基づいて、前記第１の端末と前記第２の端末との通信の品質が制御されることを特徴とする請求項１に記載の通信システム。
【請求項５】
前記アクセスゲートウェイ装置は、さらに、第２のアクセスゲートウェイ装置を含み、
前記第２の端末と前記第２のアクセスゲートウェイ装置との間に第８の通信路が確立され、前記第２のアクセスゲートウェイ装置と前記ホームサーバとの間に第９の通信路が確立され、
前記第１の端末は、前記第１の通信路、前記第２の通信路、前記第９の通信路、及び前記第８の通信路を経由して前記第２の端末と通信し、
前記第２のアクセスゲートウェイ装置は、前記各端末の通信路に関する情報を含む通信路管理情報を管理し、
前記ポリシーサーバは、前記第１の端末の通信路及び前記第２の端末の通信路を関連付けるためのリンク作成要求を、前記第２のアクセスゲートウェイ装置に送信し、
前記第２のアクセスゲートウェイ装置は、
前記リンク作成要求を受信した場合、さらに、前記第８の通信路に関する情報を含めたリンク作成要求を前記第１のアクセスゲートウェイ装置に転送し、
前記第１のアクセスゲートウェイ装置は、
前記リンク作成要求を受信した場合、前記受信したリンク作成要求と、前記通信路管理情報とに基づいて、前記第１のアクセスゲートウェイ装置と前記第２のアクセスゲートウェイ装置との間に第１０の通信路を設定し、
前記第１０の通信路と前記第１の通信路とを接続し、
前記設定された第１０の通信路に関する情報を前記通信路管理情報に記録し、
前記第１０の通信路に関する情報を含むリンク設定完了通知を前記第２のアクセスゲートウェイ装置に送信し、
前記第２のアクセスゲートウェイ装置は、
受信した前記リンク設定完了通知に基づいて、前記第１０の通信路と前記第８の通信路とを接続し、
前記第１のアクセスゲートウェイ装置は、前記通信路管理情報基づいて、前記第１の端末から前記第１の通信路を経由して送信されたデータを前記第１０の通路を経由して前記第２のアクセスゲートウェイ装置に送信し、
前記第２のアクセスゲートウェイ装置は、前記第１のアクセスゲートウェイ装置から受信したデータを前記第８の通信路を経由して前記第２の端末に送信することを特徴とする請求項１に記載の通信システム。
【請求項６】
前記第１のアクセスゲートウェイ装置が前記第２のアクセスゲートウェイ装置に転送する前記リンク作成要求、及び第２のアクセスゲートウェイ装置が前記第１のアクセスゲートウェイ装置に送信する前記リンク設定完了通知の応答には、暗号鍵が含まれ、
前記第１のアクセスゲートウェイ装置及び前記第２のアクセスゲートウェイ装置は、前記暗号鍵に基づいて、互いのアクセスゲートウェイ装置を認証することを特徴とする請求項５に記載の通信システム。
【請求項７】
前記ポリシーサーバは、前記第１の端末が、前記第１の通信路、前記第１０の通信路、及び前記第８の通信路を経由して第２の端末と通信している場合、これらの各通信路の優先度を変更せず、
前記優先度に基づいて、前記第１の端末と前記第２の端末との通信の品質が制御されることを特徴とする請求項５に記載の通信システム。
【請求項８】
前記リンク作成要求には、前記作成される通信路を識別する通信路識別子が含まれ、
前記通信路管理情報は、上りの通信路管理情報と、下りの通信路管理情報とを含み、
前記アクセスゲートウェイ装置は、前記第１の通信路と前記第３の通信路とを接続する第５の通信路を設定する場合、接続元の上りの情報として、前記第３の通信路の通信路識別子を前記上りの通信路管理情報に記録し、接続先の下りの情報として、前記第１の通信路の通信路識別子を前記下りの通信路管理情報に記録することを特徴とする請求項１に記載の通信システム。
【請求項９】
前記リンク作成要求には、前記作成される通信路を識別する通信路識別子が含まれ、
前記通信路管理情報は、上りの通信路管理情報と、下りの通信路管理情報とを含み、
前記アクセスゲートウェイ装置は、前記第１の通信路と前記第３の通信路とを接続する第５の通信路を設定する場合、接続先の上りの情報として、前記第１の通信路の通信路識別子を前記上りの通信路管理情報に記録し、接続元の下りの情報として、前記第３の通信路の通信路識別子を前記下りの通信路管理情報に記録することを特徴とする請求項１に記載の通信システム。
【請求項１０】
端末をサービス網に接続するホームサーバと、前記端末を前記ホームサーバに接続するアクセスゲートウェイ装置と、前記アクセスゲートウェイ装置を制御するポリシーサーバとを備える通信システムにおけるアクセスゲートウェイ装置であって、
第１の端末と前記アクセスゲートウェイ装置との間に第１の通信路が設定され、前記アクセスゲートウェイ装置と前記ホームサーバとの間に第２の通信路が設定され、また、第２の端末と前記アクセスゲートウェイ装置との間に第３の通信路が設定され、前記アクセスゲートウェイ装置と前記ホームサーバとの間に第４の通信路が設定され、
前記第１の端末は、前記第１の通信路、前記第２の通信路、前記第４の通信路及び前記第３の通信路を経由して前記第２の端末と通信し、
前記アクセスゲートウェイ装置は、
前記各端末の通信路に関する情報を含む通信路管理情報を管理し、
前記ポリシーサーバからリンク作成要求を受信した場合、前記第１の通信路と前記第３の通信路と接続する第５の通信路を設定し、
前記設定された第５の通信路に関する情報を前記通信路管理情報に記録し、
前記通信路管理情報に基づいて、前記第１の端末から前記第１の通信路を経由して送信されたデータを、前記第５の通信路、及び前記第３の通信路を経由して前記第２の端末に送信することを特徴とするアクセスゲートウェイ装置。
【請求項１１】
端末をサービス網に接続するホームサーバと、前記端末を前記ホームサーバに接続するアクセスゲートウェイ装置と、前記アクセスゲートウェイ装置を制御するポリシーサーバとを備える通信システムにおけるアクセスゲートウェイ装置であって、
第１の端末と前記他のアクセスゲートウェイ装置との間に第１の通信路が設定され、また、第２の端末と前記他のアクセスゲートウェイ装置との間に第３の通信路が設定され、前記第１の通信路と前記第３の通信路とを接続する第５の通信路が設定され、
前記第１の端末は、前記第１の通信路、前記第５の通信路、及び前記第３の通信路を経由して前記第２の端末と通信し、
前記アクセスゲートウェイ装置は、
前記各端末の通信路に関する情報を含む通信路管理情報を管理し、
前記第１の端末が、前記他のアクセスゲートウェイ装置から前記アクセスゲートウェイ装置へ接続を切り替える場合、前記他のアクセスゲートウェイ装置から受信した切替情報に基づいて、前記第１の端末と前記アクセスゲートウェイ装置との間に第６の通信路を設定し、
前記第６の通信路を設定したことを含む設定完了通知を前記他のアクセスゲートウェイ装置に送信し、
前記他のアクセスゲートウェイ装置からリンク設定完了通知を受信した場合、前記受信したリンク設定完了通知に基づいて、前記第６の通信路と、前記他のアクセスゲートウェイ装置と前記アクセスゲートウェイ装置との間に設定された第７の通信路とを接続し、
前記設定された第７の通信路に関する情報を前記通信路管理情報に記録し、
前記通信路管理情報に基づいて、前記第１の端末から前記第６の通信路を経由して送信されたデータを、前記第７の通信路を経由して前記他のアクセスゲートウェイ装置に送信することを特徴とするアクセスゲートウェイ装置。
【請求項１２】
端末をサービス網に接続するホームサーバと、前記端末を前記ホームサーバに接続するアクセスゲートウェイ装置と、前記アクセスゲートウェイ装置を制御するポリシーサーバとを備える通信システムにおけるアクセスゲートウェイ装置であって、
第１の端末と他のアクセスゲートウェイ装置との間に第１の通信路が設定され、前記他のアクセスゲートウェイ装置と前記ホームサーバとの間に第２の通信路が設定され、また、前記第２の端末と前記アクセスゲートウェイ装置との間に第８の通信路が確立され、前記アクセスゲートウェイ装置と前記ホームサーバとの間に第９の通信路が確立され、
前記第１の端末は、前記第１の通信路、前記第２の通信路、前記第９の通信路、及び前記第８の通信路を経由して前記第２の端末と通信し、
前記アクセスゲートウェイ装置は、
前記各端末の通信路に関する情報を含む通信路管理情報を管理し、
前記ポリシーサーバからリンク作成要求を受信した場合、さらに、前記第８の通信路に関する情報を含めたリンク作成要求を前記他のアクセスゲートウェイ装置に転送し、
前記他のアクセスゲートウェイ装置からリンク設定完了通知を受信した場合、前記受信したリンク設定完了通知に基づいて、前記第８の通路と、前記アクセスゲートウェイ装置と前記他のアクセスゲートウェイ装置との間に設定された第１０の通信路とを接続し、
前記設定された第１０の通信路に関する情報を前記通信路管理情報に記録し、
前記他のアクセスゲートウェイ装置から前記第１０の通信路を経由して送信されたデータを前記第８の通信路を経由して前記第２の端末に送信することを特徴とするアクセスゲートウェイ装置。